(57)【特許請求の範囲】
【請求項１】
編組スリーブの外周を環状部品に通す工程と、
所定の拡径用器具を拡径性開口部側から前記編組スリーブ内に挿入することにより、前記編組スリーブの縮径性開口部を他端側の前記拡径性開口部側から拡げる工程と、
拡げられた前記縮径性開口部を外部接続用部品の筒状のスリーブ取付部の外周に被せる工程と、
前記スリーブ取付部の外周に、その外周に被された前記編組スリーブの前記縮径性開口部を挟み込む様にして前記環状部品を嵌合する工程と、
を含むことを特徴とする編組スリーブへの外部接続用部品の取付方法。
【請求項２】
前記編組スリーブの両端の開口部に外部接続用部品をそれぞれ取り付ける場合において、前記編組スリーブの拡径性開口部に一方の外部接続用部品を取り付ける前に、前記編組スリーブの縮径性開口部に他方の外部接続用部品を取り付けることを特徴とする請求項１に記載の編組スリーブへの外部接続用部品の取付方法。
【請求項３】
編組スリーブの縮径性開口部に外部接続用部品を取り付ける取付装置であって、
棒状に形成されて立設され、その先端部が編組スリーブの径を拡げる拡径部となっており、その先端部が編組スリーブの一端側の拡径性開口部から編組スリーブ内に挿入されて他端側の縮径性開口部付近に挿通配置する様にその外周に編組スリーブがセットされ、且つ前記編組スリーブの外周に環状部品がセットされ、且つ外部接続用部品のスリーブ取付部が前記編組スリーブの前記縮径性開口部の内側に配置する様にその先端部に外部接続用部品がセットされる拡径用器具と、
所定方向に移動可能に配置されたカム板と、
前記拡径用器具の前記先端部の両側において前記カム板の動作に連動して前記拡径用器具に対して接近解離移動する様に配置され、その接近移動によりその所定部分が前記拡径用器具にセットされた前記外部接続用部品の上端上に配置する一対の上端位置決め部と、
前記拡径用器具の前記先端部の両側において前記カム板の動作に連動して前記拡径用器具に対して接近解離移動すると共に前記一対の上端位置決め部に対して接近解離移動する様に配置され、その前記拡径用器具への接近移動によりその所定部分が前記拡径用器具にセットされた前記環状部品の下方に配置され、その前記一対の上端位置決め部への接近移動によりその前記所定部分を介して前記環状部品を押上げて、前記環状部品を前記外部接続用部品のスリーブ取付部の外周に前記編組スリーブの縮径性開口部を挟み込む様にして嵌合させる一対の押上げ部と、
を備えることを特徴とする取付装置。
【請求項４】
その中間部分が回動自在に固定配置され、その一端側が前記カム板と連結されたレバー部とを備え、
前記レバー部の他端側の操作により前記レバー部が回動されて前記カム板が前記所定方向に可動されることを特徴とする請求項３に記載の編組スリーブへの外部接続用部品の取付装置。
【請求項５】
フットペダルと、
その中間部分が回動自在に固定配置され、その一端側が前記カム板と連結され、その他端側が前記フットペダルに連結されたレバー部とを備え、
前記フットペダルの踏操作により前記レバー部が回動されて前記カム板が前記所定方向に可動されることを特徴とする請求項３に記載の編組スリーブへの外部接続用部品の取付装置。
【請求項６】
前記拡径用器具は、直立状態と傾倒状態の間で角度調整自在に立設され、その傾倒状態でその先端部が前記一対の上端位置決め部および前記一対の押上げ部の前方側に突出されることを特徴とする請求項３〜請求項５の何れかに記載の編組スリーブへの外部接続用部品の取付装置。
【請求項７】
前記拡径用器具の先端部における前記外部接続用部品がセットされる部分は、前記外部接続用部品が前記先端部にセットされた状態で、前記外部接続用部品のスリーブ取付部の外周面と前記先端部の外周面とが平坦になる様に、前記先端部の外周面から一段低く形成されることを特徴とする請求項３〜請求項６の何れかに記載の編組スリーブへの外部接続用部品の取付装置。
【発明の詳細な説明】
【技術分野】
【０００１】
本発明は、電線の外周に被せられる編組スリーブに関する技術に関するものである。
【背景技術】
【０００２】
この種の編組スリーブでは、その端部開口部に外部接続用部品を取り付け、その外部接続用部品を介してその端部開口部を外部装置（外部電源や外部制御盤の筐体等）に接続している。【０００３】
通常、編組スリーブの端部開口部への外部接続用部品の取り付けは、以下の様に行われる。即ち、編組スリーブの端部開口部を拡げ、その拡げた端部開口部を外部接続用部品のスリーブ取付部の外周に被せ、その被せた編組スリーブの端部開口部を挟み込む様にしてスリーブ取付部の外周に環状部品を嵌合させる。この環状部品により編組スリーブの端部開口部が外部接続用部品のスリーブ取付部に固定される。【０００４】
一般に、編組スリーブは、その一端開口部が縮径性（開口部が自然に閉じようとする性質）を有しその他端開口部が拡径性（開口部が自然に拡がろうとする性質）を有しており、その縮径性開口部をその縮径性開口部側から拡げると、その縮径性開口部の編組が乱れて均一に拡がり難いという性質を有している。
【発明の開示】
【０００５】
従来では、編組スリーブの縮径性開口部に外部接続用部品を取り付ける際には、その縮径性開口部をその縮径性開口部側から拡げていたので（より詳細には縮径性開口部が自然に閉じようとする分を見越して少し大きめに拡げていたので）、その縮径性開口部に外部接続用部品を取り付けた状態では、その縮径性開口部の編組が乱れて不均一になっており、その縮径性開口部付近の電磁シールド性能が低下するという欠点があった。
【０００６】
そこで、この発明の課題は、編組スリーブの編組を乱さずに均一に保った状態で編組スリーブに外部接続用部品を取り付ける事ができる編組スリーブへの外部接続用部品の取付方法および取付装置を提供することにある。
【０００８】
また、本発明の第１の態様は、編組スリーブの外周を環状部品に通す工程と、所定の拡径用器具を拡径性開口部側から前記編組スリーブ内に挿入することにより、前記編組スリーブの縮径性開口部を他端側の前記拡径性開口部側から拡げる工程と、拡げられた前記縮径性開口部を外部接続用部品の筒状のスリーブ取付部の外周に被せる工程と、前記スリーブ取付部の外周に、その外周に被された前記編組スリーブの前記縮径性開口部を挟み込む様にして前記環状部品を嵌合する工程と、を含むものである。
【０００９】
第１の態様によれば、編組スリーブの縮径性開口部がその反対側の拡径性開口部側から拡げられるので、当該縮径性開口部の編組を乱さずに均一に保った状態で当該縮径性開口部を拡げる事ができ、これにより編組スリーブの編組を乱さずに均一に保った状態で外部接続用部品を編組スリーブに取り付ける事ができる。
【００１０】
また、本発明の第２の態様は、前記編組スリーブの両端の開口部に外部接続用部品をそれぞれ取り付ける場合において、前記編組スリーブの拡径性開口部に一方の外部接続用部品を取り付ける前に、前記編組スリーブの縮径性開口部に他方の外部接続用部品を取り付けるものである。
【００１１】
この態様によれば、編組スリーブの縮径性開口部への他方の外部接続用部品の取り付けの際に、編組スリーブの拡径性開口部に取り付られた一方の外部接続用部品が邪魔にならずに済み、作業性良く編組スリーブの縮径性開口部に外部接続用部品を取り付けられる。
【００１２】
また、本発明の第３の態様は、編組スリーブの縮径性開口部に外部接続用部品を取り付ける取付装置であって、棒状に形成されて立設され、その先端部が編組スリーブの径を拡げる拡径部となっており、その先端部が編組スリーブの一端側の拡径性開口部から編組スリーブ内に挿入されて他端側の縮径性開口部付近に挿通配置する様にその外周に編組スリーブがセットされ、且つ前記編組スリーブの外周に環状部品がセットされ、且つ外部接続用部品のスリーブ取付部が前記編組スリーブの前記縮径性開口部の内側に配置する様にその先端部に外部接続用部品がセットされる拡径用器具と、所定方向に移動可能に配置されたカム板と、前記拡径用器具の前記先端部の両側において前記カム板の動作に連動して前記拡径用器具に対して接近解離移動する様に配置され、その接近移動によりその所定部分が前記拡径用器具にセットされた前記外部接続用部品の上端上に配置する一対の上端位置決め部と、前記拡径用器具の前記先端部の両側において前記カム板の動作に連動して前記拡径用器具に対して接近解離移動すると共に前記一対の上端位置決め部に対して接近解離移動する様に配置され、その前記拡径用器具への接近移動によりその所定部分が前記拡径用器具にセットされた前記環状部品の下方に配置され、その前記一対の上端位置決め部への接近移動によりその前記所定部分を介して前記環状部品を押上げて、前記環状部品を前記外部接続用部品のスリーブ取付部の外周に前記編組スリーブの縮径性開口部を挟み込む様にして嵌合させる一対の押上げ部と、を備えるものである。
【００１３】
この態様によれば、上記の様に拡径用器具に編組スリーブ、外部接続用部品および環状部品をセットしてカム板を上下動させるだけで、編組スリーブの編組を乱さずに均一に保った状態で外部接続用部品を編組スリーブに取り付ける事ができる。
【００１４】
また、本発明の第４の態様は、その中間部分が回動自在に固定配置され、その一端側が前記カム板と連結されたレバー部とを備え、前記レバー部の他端側の操作により前記レバー部が回動されて前記カム板が前記所定方向に可動されるものである。
【００１５】
この態様によれば、レバー部を介して例えば手で容易にカム板を所定方向に可動させる事ができる。
【００１６】
また、本発明の第５の態様は、フットペダルと、その中間部分が回動自在に固定配置され、その一端側が前記カム板と連結され、その他端側が前記フットペダルに連結されたレバー部とを備え、前記フットペダルの踏操作により前記レバー部が回動されて前記カム板が前記所定方向に可動されるものである。
【００１７】
この態様によれば、フットペダルの踏操作で容易にカム板を所定方向に可動させる事ができる。
【００１８】
また、本発明の第６の態様は、前記拡径用器具は、直立状態と傾倒状態の間で角度調整自在に立設され、その傾倒状態でその先端部が前記一対の上端位置決め部および前記一対の押上げ部の前方側に突出されるものである。
【００１９】
この態様によれば、拡径用器具を傾倒させた状態で拡径用器具に編組スリーブ、外部接続用部品および環状部品をセットすることで、一対の上端位置決め部および一対の押上げ部が邪魔にならずに、拡径用器具に編組スリーブ、外部接続用部品および環状部品をセットできる。
【００２０】
また、本発明の第７の態様は、前記拡径用器具の先端部における前記外部接続用部品がセットされる部分は、前記外部接続用部品が前記先端部にセットされた状態で、前記外部接続用部品のスリーブ取付部の外周面と前記先端部の外周面とが平坦になる様に、前記先端部の外周面から一段低く形成されるものである。
【００２１】
この態様によれば、拡径用器具と外部接続用部品との間に編組スリーブの線組が挟まらない様にして拡径用部品の先端部に外部接続用部品をセットできる。
【図面の簡単な説明】
【００２２】
【図１】第１の実施の形態に係る外部接続部品付き編組スリーブの分解図である。
【図２】編組スリーブの両端開口部を拡げる際に用いる拡径用器具の一例図である。
【図３】編組スリーブ３の拡径性開口部３ｂに拡径用器具９の先端９ｂを挿入しようとする図である。
【図４】編組スリーブ３の拡径性開口部３ｂ側から編組スリーブ３内に拡径用器具９の先端９ｂを挿入した状態を示した図である。
【図５】編組スリーブ３の縮径性開口部３ａを外部接続用部品５のスリーブ取付部５ｂの外周に被せた状態を示した図である。
【図６】外部接続用部品５のスリーブ取付部５ｂの外周に、その外周に被された編組スリーブ３の縮径性開口部３ａを挟み込み様にして環状部品７を嵌合した状態を示した図である。
【図７】編組スリーブ３の外周に環状部品８を通した状態を示した図である。
【図８】編組スリーブ３の拡径性開口部３ｂに拡径用器具９の先端９ｂを挿入した状態を示した図である。
【図９】編組スリーブ３の拡径性開口部３ｂを外部接続用部品６のスリーブ取付部６ｂの外周に被せた状態を示した図である。
【図１０】外部接続用部品６のスリーブ取付部６ｂの外周に、その外周に被された編組スリーブ３の拡径性開口部３ｂを挟み込み様にして環状部品８を嵌合した状態を示した図である。
【図１１】第２実施の形態に係る編組スリーブへの外部接続用部品の取付装置の正面図である。
【図１２】図１１のＱ１方向の側面図である。
【図１３】第２実施の形態における拡径用器具の先端部（拡径部）の正面図である。
【図１４】図１３のＱ１方向の側面図である。
【図１５】図１３のＱ２方向から見たの図である。
【図１６】第２実施の形態における拡径用器具に編組スリーブ、外部接続用部品および環状部品をセットした状態を示した図である。
【図１７】図１１の取付装置の嵌合機構の拡大図である。
【図１８】図１１の取付装置の嵌合機構の後側の拡大図である。
【図１９】図１７のＱ３−Ｑ３断面図である。
【図２０】図１７のＱ２方向から見た図である。
【図２１】図１１の取付装置のラチェット装置の透過拡大図である。
【図２２】図２１のＱ５−Ｑ５断面図である。
【図２３】図１１の取付装置の動作の嵌合機構の動作を説明する図である。
【図２４】図１１の取付装置の動作の嵌合機構の動作を説明する他の図である。
【発明を実施するための最良の形態】
【００２３】
＜第１の実施の形態＞
この実施の形態に係る外部接続用部品付き編組スリーブは、所定の電線の外周に被せられて用いられるものであり、図１の様に、例えば金属性の編組スリーブ３と、編組スリーブ３の両端の開口部３ａ，３ｂに取り付けられる例えば金属性の外部接続用部品５，６と、外部接続用部品５，６をそれぞれ編組スリーブ３の開口部３ａ，３ｂに固定するための例えば金属製の環状部品７，８とを備える。【００２４】
編組スリーブ３は、例えば周知の編組機で編み組まれた筒状のものであり、その一端開口部３ａが縮径性を有しその他端開口部３ｂが拡径性を有している。【００２５】
外部接続用部品５，６はそれぞれ、所定の外部装置（外部電源や外部制御盤の筐体等）（図示省略）と接続される外部接続部５ａ，６ａと、外部接続部５ａ，６ａの後部に設けられた筒状のスリーブ取付部５ｂ，６ｂとを備える。【００２６】
より詳細には、外部接続用部品５は、例えば、そのスリーブ取付部５ｂが開口面が略長方形状の筒状に形成され、その外部接続部５ａがスリーブ取付部５ｂの一端開口部の縁の両側からスリーブ取付部５ｂの筒軸方向に突出する突出片として形成されてなる。また、外部接続用部品６は、例えば、そのスリーブ取付部６ｂが開口面が略長方形状の筒状に形成され、その外部接続部６ａがスリーブ取付部６ｂの一端開口部の縁の両側からスリーブ取付部６ｂの筒軸方向に突出する接続片として形成されてなる。尚、ここで挙げた外部接続部５ａ，６ａの形状は、一例であり、その様に限定されるものではない。【００２７】
外部接続用部品５のスリーブ取付部５ｂの外周には、編組スリーブ３の縮径性開口部３ａが拡径性開口部３ｂ側から拡げられて被せられ、その上にスリーブ取付部５ｂとの間で当該縮径性開口部３ａを挟み込む様にして環状部品７が嵌合される。また、外部接続用部品６のスリーブ取付部６ｂの外周には、編組スリーブ３の拡径性開口部３ｂが拡径性開口部３ｂ側から拡げられて被せられ、その上にスリーブ取付部６ｂとの間で当該拡径性開口部３ｂを挟み込む様にして環状部品８が嵌合される。【００２８】
次に、この外部接続用部品付き編組スリーブ１の組み立て手順（即ち編組スリーブ３への外部接続用部品５，６の取付方法）を説明する。【００２９】
まず、編組スリーブ３の縮径性開口部３ａに外部接続用部品５を取り付ける。その為にまず、拡径用器具（例えば図２の様に心棒９ａの先端に心棒９ａより太い拡径部（その先端側が尖りその裾側が拡がったもの）９ｂが取り付けられたもの）９を用いて、編組スリーブ３の縮径性開口部３ａを拡径性開口部３ｂ側から拡げる。【００３０】
即ち、拡径用器具９の先端（拡径部）９ｂを編組スリーブ３の拡径性開口部３ｂから編組スリーブ３内に挿入し（図３）、その拡径部９ｂを編組スリーブ３の縮径性開口部３ａの所まで押し込む（図４）。これにより、拡径用器具９の拡径部９ｂにより編組スリーブ３の径が内側から拡げられて行き、編組スリーブ３の縮径性開口部３ａが拡径性開口部３ｂ側から拡げられる。【００３１】
そして、その様に拡げられた縮径性開口部３ａ内に外部接続用部品５を挿入する様にして縮径性開口部３ａを外部接続用部品５のスリーブ取付部５ｂの外周に被せ（図５）、その後に編組スリーブ３の拡径性開口部３ｂ側から拡径用器具９を引き抜く。【００３２】
そして、編組スリーブ３の拡径性開口部３ｂを例えば手で窄めてから、環状部品７を、拡径性開口部３ｂ側から編組スリーブ３の外周を通して縮径性開口部３ａ側に運んで、スリーブ取付部５ｂとの間で編組スリーブ３の縮径性開口部３ａを挟み込む様にしてスリーブ取付部５ｂの外周に嵌合させる（図６）。そしてその嵌合状態で、その環状部品７を、かしめる等の端末加工を施してスリーブ取付部５ｂに固定する。この様にして編組スリーブ３の縮径性開口部３ａに外部接続用部品５を取り付ける。【００３３】
そして次に（即ち編組スリーブ３の縮径性開口部３ａに外部接続用部品５を取り付けた後に）、編組スリーブ３の拡径性開口部３ｂに外部接続用部品６を取り付ける。即ちまず、編組スリーブ３の拡径性開口部３ｂを例えば手で窄めて、環状部品８を、拡径性開口部３ｂ側から編組スリーブ３の外周に通しておく（図７）。【００３４】
そして、拡径用器具９を用いて、編組スリーブ３の拡径性開口部３ｂを拡径性開口部３ｂ側から拡げる。即ち、拡径用器具９の先端（拡径部）９ｂを編組スリーブ３の拡径性開口部３ｂから編組スリーブ３内に挿入して拡径性開口部３ｂを拡げて（図８）、その拡径用器具９を編組スリーブ３から引き抜く（拡径性開口部３ｂは自然に開く性質があるので、拡径用器具９を編組スリーブ３から引き抜いても拡径性開口部３ｂは拡がったままである）。【００３５】
そして、その拡げられた拡径性開口部３ｂを外部接続用部品６のスリーブ取付部６ｂに被せ（図９）、編組スリーブ３の外周に通しておいた環状部品８を、スリーブ取付部６ｂとの間で編組スリーブ３の拡径性開口部３ｂを挟み込む様にしてスリーブ取付部６ｂの外周に嵌合させる（図１０）。そしてその嵌合状態で、その環状部品８を、かしめる等の端末加工を施してスリーブ取付部６ｂに固定する。この様にして編組スリーブ３の拡径性開口部３ｂに外部接続用部品６を取り付ける。この様にして編組スリーブ３に外部接続用部品５，６を取り付ける。【００３６】
この様に構成された外部接続用部品付き編組スリーブ１は、その編組スリーブ３内および外部接続用部品５，６のスリーブ取付部５ｂ，６ｂ内に所定の電線を通す様にして所定の電線（図示省略）の外周に被せられる。そしてその状態で、外部接続用部品５，６の外部接続部５ａ，６ａが前記所定の電線の接続先である外部装置（図示省略）の所定の接続部に接続される。この接続により外部接続用部品付き編組スリーブ１が前記外部装置に固定される。この様にして当該外部接続用部品付き編組スリーブ１が用いられる。【００３７】
以上の様に構成された外部接続部品付き編組スリーブ１によれば、編組スリーブ３の縮径性開口部３ａがその反対側の拡径性開口部３ｂ側から拡げられるので、当該縮径性開口部３ａの編組を乱さずに均一に保った状態で当該縮径性開口部３ａを拡げる事ができ、これにより編組スリーブ３の編組を乱さずに均一に保った状態で外部接続用部品５を編組スリーブ３に取り付ける事ができる。【００３８】
これは、編組機で編み組まれた編組スリーブ３は、その途中で切断すると、その一方の切断開口部はその開口部が自然に拡がろうとする性質を持ち、その他方の切断開口部はその開口部が自然に閉じようとする性質を持つ。そのため、編組スリーブ３は必ず、その一端開口部３ｂが拡径性開口部となりその他端開口部３ａが縮径性開口部となる。そして、この様な性質の下では、編組スリーブ３の縮径性開口部３ａは、当該縮径性開口部３ａ側から拡げるよりもその反対側の拡径性開口部３ｂ側から拡げられる方が、編組が乱れずに均一に保たれた状態で拡がり易いという性質があることが本発明の発明者により見出されている。上記の効果はこの性質を利用したものである。【００３９】
また、編組スリーブ３の拡径性開口部３ｂに外部接続用部品６を取り付ける前に、編組スリーブ３の縮径性開口部３ａに外部接続用部品５を取り付けるので、編組スリーブ３の縮径性開口部３ａへの外部接続用部品５の取り付けの際に、編組スリーブ３の拡径性開口部３ｂに取り付られた外部接続用部品６が邪魔にならずに済み、作業性良く編組スリーブ３の縮径性開口部３ａに外部接続用部品５を取り付けられる。【００４０】
尚、この実施の形態では、拡径用器具９として、心棒９ａの先端に拡径部９ｂが取り付けられたものを用いたが、その代わりに、拡径部９ｂを膨張収縮自在の風船に置換すると共に心棒９ａを筒材（または可撓性のチューブ）に置換して、その筒材の筒孔を通じて空気を風船に出し入れすることにより風船を膨張収縮させる様に構成したものを用いてもよい。【００４１】
その様に構成した場合の拡径用器具９を用いて例えば編組スリーブ３の縮径性開口部３ａを拡げる場合は以下の様にする。即ち、風船を収縮させた状態で拡径用器具９の先端（風船）を拡径性開口部３ｂ側から編組スリーブ３内に挿入して縮径性開口部３ａの手前まで挿入し、その手前で風船を膨張させて編組スリーブ３の径を広げ、その膨張状態の風船を縮径性開口部３ａ付近まで押し進めて縮径性開口部３ａを拡げる。そして、拡径用器具９を編組スリーブ３内から引き抜く際には風船を収縮させて引き抜く。【００４２】
＜第２の実施の形態＞
この実施の形態に係る編組スリーブへの外部接続用部品の取付装置は、上記の第１の実施の形態で説明した編組スリーブへの外部接続用部品の取付方法を具現化したものである。【００４３】
この実施の形態に係る編組スリーブへの外部接続用部品の取付装置１０は、図１１および図１２の様に、例えば縦長の直方体枠状に組まれた枠体１１と、枠体１１の前面側に立設され、図１６の様に編組スリーブ３、外部接続用部品５および環状部品７がセットされる棒状の拡径用器具９と、枠体１１の前面の所定箇所（例えば上部）に設けられた配置板１３と、配置板１３の裏面側に所定方向（上下）に移動可能に配置されたカム板１５（図１８参照）と、配置板１３の前面側に配置され、カム板１５の動作に連動して、拡径用器具９にセットされた環状部品７を外部接続用部品５のスリーブ取付部５ｂの外周に編組スリーブ３の開口部３ａを挟み込む様に嵌合させる嵌合機構１７と、枠体１１の下部に配置されたフットペダル１９と、フットペダル１９の踏操作に応じてカム板１５を上下動させる操作力伝達機構２１とを備える。【００４４】
拡径用器具９は、図１６の様に、その先端部９ｂが編組スリーブ３の径を拡げる拡径部（以後、拡径部９とする）となっており、その先端部９ｂが編組スリーブ３の一端側の拡径性開口部３ｂから編組スリーブ３内に挿入されて他端側の縮径性開口部３ａ付近に挿通配置する様にその外周に編組スリーブ３がセットされ、且つその編組スリーブ３の外周に環状部品７がセットされ、且つ外部接続用部品５のスリーブ取付部５ｂがその編組スリーブ３の縮径性開口部３ａの内側に配置する様にその先端部９ｂに外部接続用部品５がセットされる様になっている。【００４５】
ここでは、この拡径用器具９は、図１３〜図１５の様に、心棒９ａと心棒９ａの先端部に設けられた拡径部９ｂとから構成されており、図１１および図１２の様に、心棒９ａの基端部が枠体１１に設けられた取付部２３に取り付けられることで、枠体１１の前面側に立設される。【００４６】
拡径部９ｂは、その胴体部９ｃが、環状部品７の内形（例えば楕円形）と同形且つやや小さめの寸法の断面形状を有する柱状に形成されており、その胴体部９ｃの先端部側端部９ｄが、外部接続用部品５の筒状のスリーブ取付部５ｂの内形（例えば楕円形）と同形同寸法の断面形状となる様に胴体部９ｃの外周面より一段低く形成されており、その先端部９ｅが尖鋭状に形成されている。【００４７】
そして、図１６の様に、編組スリーブ３の縮径性開口部３ａが胴体部９ｃの端部９ｄ付近に配置する様に拡径用器具９の外周に編組スリーブ３がセットされ、胴体部９ｃの外周に編組スリーブ３を介して環状部品７がセットされ、胴体部９ｃの端部９ｄの外周に外部接続用部品５のスリーブ取付部５ｂが嵌合する様に外部接続用部品５がセットされる。【００４８】
尚、胴体部９ｃの端部９ｄの外周に外部接続用部品５がセットされた状態では、胴体部９ｃの外周面と外部接続用部品５のスリーブ取付部５ｂの外周面とは平坦になっている。【００４９】
取付部２３は、拡径用器具９を直立状態と傾倒状態の間で角度調整自在に立設する様に構成されており、拡径用器具９の心棒９ａの基端部を狭持する狭持部２３ａと、狭持部２３ａを支持する支持部２３ｂと、支持部２３ｂを上下方向に（即ち拡径用器具９を直立状態または傾倒状態に）角度調整自在に軸支する軸支部２３ｃと、支持部２３ｂを上方に付勢するコイルバネ２３ｄと、支持部２３ｂをその可動範囲の上死点で吸着解離自在に保持する保持部２３ｅとを備える。【００５０】
尚、拡径用器具９は、その直立状態でその先端部（拡径部）９ｂが嵌合機構１７内に配置され、その傾倒状態でその先端部９ｂが嵌合機構１７の前方側に突出される様になっている。【００５１】
狭持部２３ａは、拡径用器具９の心棒９ａの基端を狭持する左右一対の狭持用部材を有し、それら両狭持用部材で心棒９ａを狭持した状態でそれら狭持用部材間をボルト等で締結固定することで、拡径用器具９の心棒９ａの基端を狭持している。【００５２】
コイルバネ２３ｄは、その一端側が支持部２３ｂの上面に設けられた係止部２３ｆに係止され、その他端側が枠体１１に設けられた係止部１１ａに係止されている。【００５３】
保持部２３ｅは、支持部２３ｂの上方に配置する様に枠体１１に配設されており、その下端部の位置が支持部２３ｂの可動範囲の上死点を規定しており、その下端部の下端面に支持部２３ｂを吸着解離自在に保持するための磁石が配設されて構成されている。即ち、ここでは、支持部２３ｂは金属部材により形成されており、保持部２３ｅの前記磁石が電磁力により支持部２３ｂに吸着することで、支持部２３ｂを吸着解離自在に保持している。【００５４】
この構成により、拡径用器具９は、例えば手で前方に倒されることで支持部２３ｂが保持部２３ｅから解離されて傾倒状態になり、手で起こされることで支持部２３ｂが保持部２３ｅに吸着されて直立状態に保たれる様になっている。【００５５】
嵌合機構１７は、図１７，図１９および図２０の様に、拡径用器具９の先端部（拡径部）９ｂの両側においてカム板１５の動作に連動して拡径用器具９に対して接近解離移動する様に配置され、その接近移動によりその所定部分（ここでは先端部）１７１ａが拡径用器具９にセットされた外部接続用部品５の上端上に配置する左右一対の上端位置決め部１７１と、拡径用器具９の先端部９ｂの両側においてカム板１５の動作に連動して拡径用器具９に対して接近解離移動すると共に一対の上端位置決め部１７１に対して接近解離移動する様に配置され、その拡径用器具９に対する接近移動によりその所定部分（ここでは先端部）１７２ａが拡径用器具９にセットされた環状部品７の下方に配置され、その一対の上端位置決め部１７１に対する接近移動によりその先端部１７２ａを介して環状部品７を押上げて、環状部品７を外部接続用部品５のスリーブ取付部５ｂの外周に編組スリーブ３の縮径性開口部３ａを挟み込む様にして嵌合させる左右一対の押上げ部１７２とを備える。【００５６】
各上端位置決め部１７１は、例えば縦長の板状に形成された基部１７１ｂを有し、その基部１７１ｂの前面に、前方に突出する様に前方突出部１７１ｃが形成され、その前方突出部１７１ｃに、拡径用器具９側の側方に突出する様に先端部１７１ａが設けられ、またその基部１７１ｂの後面に、配置板１３の前面に横方向に設けられたガイドレール１３ａに摺動自在に嵌合する嵌合凹部１７１ｄが設けられ、またその基部１７１ｂの後面に、配置板１３の開口部１３ｂを挿通して配置板１３の後方に突出する様にカムローラ支持部１７１ｅが形成され、そのカムローラ支持部１７１ｅに、カム板１５のカム溝１５ａ内に配置する様にカムローラ１７１ｆが配設されて構成されている。尚、上端位置決め部１７１の先端部１７１ａの先端は、図２０の様に、拡径用器具９の先端部９ｂと干渉しない様に例えば凹状に形成されている。【００５７】
この構成により、カム板１５が上方（または下方）移動することで、カムローラ１７１ｆがカム板１５（図１８参照）のカム溝１５ａに沿って内側（または外側）に移動され、この移動により上端位置決め部１７１がガイドレール１３ａに沿って内側（または外側）に摺動して、拡径用器具９に対して接近（または離反）移動する様になっている。【００５８】
嵌合凹部１７１ｄの上側内側面および下側内側面には、図１９の様に、突条部がその長手方向に沿って設けられており、これら突条部がガイドレール１３ａの上側面および下側面にその長手方向に沿って設けられた溝部に嵌合する事で、嵌合凹部１７１ｄがガイドレール１３ａに脱線防止されつつスライド自在に嵌合されている。【００５９】
各押上げ部１７２は、例えば縦長の板状に形成された基部１７２ｂを有し、その基部１７２ｂの前面に、前方に突出する様に前方突出部１７２ｃが形成され、その前方突出部１７２ｃに、拡径用器具９側の側方に突出する様に先端部１７２ａが設けられ、またその基部１７２ｂの後面に、上端位置決め部１７１の基部１７１ｂの前面に縦方向に設けられたガイドレール１７１ｇに摺動自在に嵌合する嵌合凹部１７２ｄが設けられ、またその基部１７２ｂの下端に、カム板１５に形成された前方延出部１５ｂの先端部と当接する当接部１７２ｅが後方に突出する様に設けられて構成されている。尚、押上げ部１７２の先端部１７２ａの先端は、上端位置決め部１７１の先端部１７１ａの場合と同様に、拡径用器具９の先端部９ｂと干渉しない様に例えば凹状に形成されている。【００６０】
この様に、押上げ部１７２が上端位置決め部１７１の前面に配設されたガイドレール１７１ｇに摺動自在に配設されることで、上端位置決め部１７１が拡径用器具９に対して接近（または離反）移動することで、その移動に伴って押上げ部１７２が拡径用器具９に対して接近（または離反）移動され、またカム板１５が上方移動することで、カム板１５の前方延出部１５ｂにより押上げ部１７２の当接部１７２ｅが上方に押上げられ、この押上げにより押上げ部１７２が上方移動され、またカム板１５が下方移動することで、その移動に伴って押上げ部１７２がその自重により下方移動する様になっている。【００６１】
また、押上げ部１７２の嵌合凹部１７２ｄの両側の内側面には、突条部（不図示）がその長手方向に沿って設けられており、これら突条部が上端位置決め部１７１のガイドレール１７１ｇの両側の側面にその長手方向に沿って配設された溝部（不図示）に嵌合する事で、押上げ部１７２の嵌合凹部１７１ｄが上端位置決め部１７１のガイドレール１７１ｇに脱線防止されつつスライド自在に嵌合されている。【００６２】
また、押上げ部１７２の前方突出部１７２ｃの上面には、その頭部１７２ｆが一段幅広に形成された棒状の落下防止用ストッパ１７２ｇが立設されている。このストッパ１７２ｇは、その頭部１７２ｆが上端位置決め部１７１の前方突出部１７１ｃの上側に突出する様に、前方突出部１７１ｃに設けられた貫通孔１７１ｈに上下動自在に挿通配置されている。即ち、ストッパの頭部１７２ｆの幅が貫通孔１７１ｈの幅より大きく形成されており、頭部１７２ｆが貫通孔１７１ｈの上面側開口に引っ掛かることで、押上げ部１７２がそれより下方に落ちない様になっている。【００６３】
カム板１５は、図１８および図１９の様に、上端位置決め部１７１の各カムローラ１７１ｆが配置される左右一対のカム溝１５ａと、操作力伝達機構２１のレバー部２１ａに設けられたカムローラ２１ｂが配置されるたカム溝１５ｃと、その下端から配置板１３に設けられた開口部１３を通って前方に延出され、押上げ部１７２の当接部１７２ｅを押し上げるための前方延出部１５ｂと、その前面に配設され、配置板１３の後面に縦方向に配設されたガイドレール１３ｄに摺動自在に嵌合する嵌合凹部１５ｄと、カム板１５を上方に付勢するコイルバネ１５ｅとを備える。【００６４】
カム溝１５ａは、縦に延びた縦溝部１５ａ−１の上部に外側に傾斜した傾斜溝部１５ａ−２が連設されて構成されている。【００６５】
コイルバネ１５ｅは、その下端が、カム板１５の後面において後方に突出する様に配設された係止部１５ｆに係止され、その上端が、枠体１１に配設された係止部１１ｂに係止されて備えられている。【００６６】
またカム板１５は、枠体１１に配設された上側ストッパ１１ｃによりその上死点が規定され、配置板１３に配設された下側ストッパ１３ｅによりその下死点が規定されている。【００６７】
この構成により、カム板１５は、操作力伝達機構２１のレバー部２１ａにより上方に押上げられることで配置板１３のガイドレール１３ｄに沿って上方移動される。そして、そのカム板１５の上方移動に伴って、上端位置決め部１７１のカムローラ１７１ｆがカム板１５のカム溝１５ａに沿ってカム溝１５ａの上端から下端に移動される。そしてその際のカムローラ１７１ｆのカム溝１５ａの傾斜溝部１５ａ−２内の移動により、上端位置決め部１７１が拡径用器具９側に所定位置まで接近移動され（従って押上げ部１７２も拡径用器具９側に所定位置まで接近移動され）、またカムローラ１７１ｆのカム溝１５ａの縦溝部１５ａ−１内の移動の間は、上端位置決め部１７１は（従って押上げ部１７２も）前記所定位置で停止される。そして更にカム板１５が上方移動されることで、カム板１５の前方延出部１５ｂにより押上げ部１７２の当接部１７２ｅが押上げられ、この押上げにより押上げ部１７２がその上死点まで上方移動される。【００６８】
操作力伝達機構２１は、図１１および図１２の様に、カム板１５を押し上げるためのレバー部２１ａと、レバー部２１ａの端部に回動自在に設けられた垂下部２１ｃと、垂下部２１ｃとフットペダル１９との間を繋ぐ伝達用ワイヤー２１ｄと、伝達用ワイヤー２１ｄをガイドするガイドローラ２１ｅとを備える。【００６９】
レバー部２１ａは、図１８の様に、その中間部分が枠体１１に軸Ｐ１周りに回動自在に固定配置され、その一端側にカム板１５のカム溝１５ｃに配置する様にカムローラ２１ｂが配設され（即ちここではその一端側はカムローラ２１ｂを介してカム板１５に連結されている。）、図１１の様に、その他端側２１ｆに垂下部２１ｃが回動自在に配設されて構成される（即ちここではその他端側２１ｆは垂下部２１ｃおよびワイヤー２１ｄを介してフットペダル１９に連結されている）。【００７０】
この様に構成された操作力伝達機構２１では、フットペダル１９の踏み込みによってワイヤー２１ｄを介してレバー部２１ａの他端側２１ｆが下方に引き下げられ、この引き下げによるレバー部２１ａの軸Ｐ１回りの回動によってカム板１５が上方に押上げられて上方移動される。【００７１】
また操作力伝達機構２１には  レバー部２１ａの他端側２１ｆがその下死点まで引き下げられると（即ち押上げ部１７２がその上死点まで押し上げられると）、レバー部２１ａの端部側２１ｆを逆行可能にするラチェット装置２５が備えられている。【００７２】
ラチェット装置２５は、図１８，図２１および図２２の様に、ケース部２５ａと、ケース部２５ａ内に収容配設されたのこぎり状の歯部２５ｂと、歯部２５ｂに引っ掛かる爪部２５ｃと、歯部２５ｂの正面側に各歯の連設方向に沿って移動自在に配置されると共に爪部２５ｃを各歯の連設方向に回動自在に保持するスライド体２５ｄと、レバー部２１ａの回動動作に連動してスライド体２５ｄを歯部２５ｂの各歯の連設方向に上下移動させるアーム部２５ｅとを備える。【００７３】
ケース部２５ａには、その内部にスライド体２５ｄが通るガイド状の通路２５ｆが縦方向に形成され、その通路２５ｆの側面にその長手方向に沿って爪部２５ｃの先端２５ｃ−１が通る凹状溝２５ｇが形成され、その通路２５ｆの反対側の側面にその長手方向に沿って爪部２５ｃの基端２５ｃ−２が通るスリット状の開口部２５ｈが形成されている。そして、凹状溝２５ｇの底面にその長手方向に沿って歯部２５ｂが配設されている。【００７４】
スライド体２５ｄは、例えば直方体状のブロック状に形成され、その左右の両側面に、その両側面を貫通する様に貫通孔２５ｉが形成されており、その貫通孔２５ｉ内には、爪部２５ｃがその先端２５ｃ−１および基端２５ｃ−２をスライド体２５ｄの外に突出する様にして回動自在に軸２５ｊにより軸支されている。この軸２５ｊの両端は、通路２５ｆの前後の両側面にその長手方向に沿って形成されたスリット状の孔２５ｋからケース部２５ａの外に突出されて、アーム部２５ｅに軸支されている。【００７５】
またスライド体２５ｄには、爪部２５ｃを歯部２５ｂに対して垂直に付勢させるためのコイルバネ２５ｍが備えられている。このコイルバネ２５ｍは、その一端が爪部２５ｃの基端２５ｃ−２に係止され、その他端がスライド体２５ｄに設けられた係止部２５ｎに係止される様にして配設されている。この係止部２５ｎは、スライド体２５ｄの側面に立設されその先端が爪部２５ｃの基端２５ｃ−２の後方に回り込む様に形成されており、ケース部２５ａの開口部２５ｈから外に突出する様に配置される。【００７６】
アーム部２５ｅは、その一端が二股状に形成され、その二股部分の間にケース部２５ａが配置されて、その二股部分に、ケース部２５ａの両側面から突出した軸２５ｊの両端が軸支され、他方その他端が操作力伝達機構２１のレバー部２１ａに回動自在に配設されて構成される。【００７７】
この様に構成されたラチェット装置２５では、レバー部２１ａの他端側２１ｆがその上死点にあるときは、スライド体２５ｄはケース部２５ａの通路２５ｆの上半側に位置され、爪部２５ｃは歯部２５ｂの上方側に位置されている。そして、レバー部２１ａの他端側２１ｆが下方に引き下げれると、その引き下げに伴ってアーム部２５ｅを介してスライド体２５ｄが通路２５ｆに沿って下方に移動され、この移動に伴って爪部２５ｃの先端２５ｃ−１が歯部２５ｂの各歯に順に係合し、この係合によりスライド体２５ｄが逆行防止状に（即ちレバー部２１ａの他端側２１ｆが上方に戻らない様に）下方に移動されて行く。そして、レバー部２１ａの他端側２１ｆがその下死点まで引き下げられると、スライド体２５ｄが通路２５ｆの下半側に位置されて、爪部２５ｃが歯部２５ｂの下方側に位置されて爪部２５ｃの先端２５ｃ−１が歯部２５ｂから外れ、スライド体２５ｄが逆行可能状態（即ちレバーの他端側２１ｆが上方に移動可能状態）になる。この様にして、レバー部２１ａの他端側２１ｆがその下死点まで引き下げられるとその上死点に戻れる様になっている。【００７８】
次に、この取付装置１０の動作を説明する。【００７９】
まず、図１２の様に、拡径用器具９を手で前方に倒して拡径用器具９の拡径部（先端部）９ｂを嵌合機構１７の前方に引き出し、その状態で、その拡径用器具９に編組スリーブ３、環状部品７および外部接続用部品５をセットする。【００８０】
より詳細には、まず編組スリーブ３の外周に環状部品７を通しておく。そしてその編組スリーブ３を、拡径用器具９の拡径部９ｂが編組スリーブ３の一端側の拡径性開口部３ｂから編組スリーブ３内に挿入されて他端側の縮径性開口部３ａ付近に挿通配置する様に拡径用器具９の外周にセットする（図１６参照）。この様にセットすることで、編組スリーブ３が乱れることなく拡径用器具９の拡径部９ｂにより縮径性開口部３ａを内側から拡げる事ができる。尚、このセット状態では、拡径用器具９の拡径部９ｂの胴体部９ｃの端部９ｄは編組スリーブ３の縮径性開口部３ａの内側に配置されている。【００８１】
そして次に、編組スリーブ３に通された環状部品７を拡径用器具９の拡径部９ｂの胴体部９ｃの中間部分の外周に編組スリーブ３を介してセットすると共に、外部接続用部品５をそのスリーブ取付部５ｂが拡径用器具９の胴体部９ｃの端部９ｄの外周に嵌合させる様にして拡径用器具９にセットする（図１６参照）。このセット状態では、外部接続用部品５のスリーブ取付部５ｂは、拡径用器具９にセットされた編組スリーブ３の縮径性開口部３ａの内側に配置されている。【００８２】
そして、この様に拡径用器具９に編組スリーブ３、環状部品７および外部接続用部品５がセットされると、手でその拡径用器具９を起こして直立状態にしてその拡径部９ｂを嵌合機構１７内（即ち一対の上端位置決め部１７１の間および一対の押上げ部１７２の間）に配置させる（図２３）。【００８３】
そしてこの状態でフットペダル１９をその下死点まで踏み込むと、その踏み込みに応じた分だけワイヤー２１ｄを介してレバー部２１ａの他端側２１ｆが下方に引き下げられ、これによってレバー部２１ａが軸Ｐ１回りに回動されてカム板１５が押し上げられて上方移動される。【００８４】
そして、そのカム板１５の上方移動に伴って、まず各上端位置決め部１７１が所定位置Ｓ１まで拡径用器具９側に接近移動されると共に各押上げ部１７２も所定位置Ｓ２まで拡径用器具９側に接近移動される（図２３）。そしてこの接近状態では、各上端位置決め部１７１の先端部１７１ａが拡径用器具９の拡径部９ｂにセットされた外部接続用部品５の上端に当接すると共に、各押上げ部１７２の先端部１７２ａが拡径用器具９の拡径部９ｂにセットされた環状部品７の下方側に配置する。【００８５】
そして、更にカム板１５が上方移動すると、その上方移動に伴って各押上げ部１７２が上昇移動（即ち各上端位置決め部１７１に対して接近移動）されて、各押上げ部１７２の先端部１７２ａが環状部品７の下端に当接してその先端部１７２ａを介して環状部品７を押上げて行く。【００８６】
そしてカム板１５がその上死点まで上方移動すると、各押上げ部１７２により環状部品７が最後まで押上げられて、環状部品７が外部接続用部品５のスリーブ取付部５ｂの外周に編組スリーブ３の縮径性開口部３ａを挟み込む様に嵌合される（図２４）。そしてこの嵌合により、編組スリーブ３の縮径性開口部３ａへの外部接続用部品５の取り付けが完了する。【００８７】
尚、フットペダル１９が一旦踏み込まれて、レバー部２１ａの他端側２１ｆが下方に引き下げられ始めると、ラチェット装置２５により、フットペダル１９をその下死点まで踏み込んでレバー部２１ａをその下死点まで引き下げないと（即ち押上げ部１７２がその上死点まで上がり切って環状部品７を外部接続用部品５のスリーブ取付部５ｂに奥まで嵌合させないと）、レバー部２１ａの他端側２１ｆが上死点側に戻らない様になっている。これにより、外部接続用部品５のスリーブ取付部５ｂに環状部品７が不完全な状態で嵌合される事が防止される。【００８８】
そして、フットペダル１９の踏み込みを解除すると、フットペダル１９が所定のバネにより踏み込み前の状態に自立復帰すると共にカム板１５がその自重でその下死点まで下方移動し、このカム板１５の下方移動に伴って各上端位置決め部１７１および各押上げ部１７２が元の位置に戻される。【００８９】
そして、拡径用器具９を手で前方に倒して拡径用器具９の拡径部９ｂを嵌合機構１７の前方に引き出し、拡径用器具９からその編組スリーブ３を外せばよい。【００９０】
以上の様に構成された取付装置１０によれば、棒状に形成されて立設され、その先端部９ｂが編組スリーブ３の径を拡げる拡径部となっており、その先端部９ｂが編組スリーブ３の一端側の拡径性開口部３ｂから編組スリーブ３内に挿入されて他端側の縮径性開口部３ａ付近に挿通配置する様にその外周に編組スリーブ３がセットされ、且つ前記編組スリーブ３の外周に環状部品７がセットされ、且つ外部接続用部品５のスリーブ取付部５ｂが前記編組スリーブ３の縮径性開口部３ａの内側に配置する様にその先端部９ｂに外部接続用部品５がセットされる拡径用器具９と、所定方向（ここでは上下）に移動可能に配置されたカム板１５と、拡径用器具９の先端部９ｂの両側においてカム板１５の動作に連動して拡径用器具９に対して接近解離移動する様に配置され、その接近移動によりその所定部分（ここでは先端部）１７１ａが拡径用器具９にセットされた外部接続用部品５の上端上に配置する一対の上端位置決め部１７１と、拡径用器具９の先端部９ｂの両側においてカム板１５の動作に連動して拡径用器具９に対して接近解離移動すると共に一対の上端位置決め部１７１に対して接近解離移動する様に配置され、その拡径用器具９に対する接近移動によりその先端部１７２ａが拡径用器具９にセットされた環状部品７の下方に配置され、その一対の上端位置決め部９に対する接近移動によりその先端部１７２ａを介して前記環状部品７を押上げて、前記環状部品７を前記外部接続用部品５のスリーブ取付部５ｂの外周に編組スリーブ３の縮径性開口部３ａを挟み込む様にして嵌合させる一対の押上げ部１７２とを備えるので、上記の様に拡径用器具９に編組スリーブ３、外部接続用部品５および環状部品７をセットしてカム板１５を上下動させるだけで、編組スリーブ３の編組を乱さずに均一に保った状態で外部接続用部品５を編組スリーブ３に取り付ける事ができる。【００９１】
また、フットペダル１９の踏操作によりレバー部２１ａが回動されてカム板１５が上下動されるので、フットペダル１９の踏操作で容易にカム板１５を上下動させる事ができる。【００９２】
また、拡径用器具９は、直立状態と傾倒状態の間で角度調整自在に立設され、その傾倒状態でその先端部９ｂが一対の上端位置決め部１７１および一対の押上げ部１７２の前方側に突出されるので、拡径用器具９を傾倒させた状態で拡径用器具９に編組スリーブ３、外部接続用部品５および環状部品７をセットすることで、一対の上端位置決め部１７１および一対の押上げ部１７２が邪魔にならずに、拡径用器具９に編組スリーブ３、外部接続用部品５および環状部品７をセットできる。【００９３】
また、拡径用器具９の先端部９ｂにおける外部接続用部品５がセットされる部分９ｄは、外部接続用部品５が先端部９ｂにセットされた状態で、外部接続用部品５のスリーブ取付部５ｂの外周面と先端部９ｂの外周面とが平坦になる様に、先端部９ｂの外周面から一段低く形成されるので、拡径用器具９と外部接続用部品５との間に編組スリーブ３の線組が挟まらない様にして拡径用器具の先端部９ｂに外部接続用部品５をセットできる。【００９４】
尚、この実施の形態では、フットペダル１９を用いて取付装置１０を踏操作する場合で説明したが、垂下部２１ｃからワイヤー２１ｄを外して、その代わりに垂下部２１ｃに取っ手部を設けて、その取っ手部を握って手でレバー部２１ａを下方に引き下げる様にしてもよい。この様にすれば、レバー部２１ａを介して手で容易にカム板１５を上下動させる事ができる。【００９５】
また、この実施の形態では、手または足等の人力で操作する場合で説明したが、カム板１５を直接またはレバー部２１ａを介して間接的にアクチュエータ等の電動手段を用いて上下動させることで、電動式で操作する様にしてもよい。
【図１】
0004440268.tif 000002
【図２】
0004440268.tif 000003
【図３】
0004440268.tif 000004
【図４】
0004440268.tif 000005
【図５】
0004440268.tif 000006
【図６】
0004440268.tif 000007
【図７】
0004440268.tif 000008
【図８】
0004440268.tif 000009
【図９】
0004440268.tif 000010
【図１０】
0004440268.tif 000011
【図１１】
0004440268.tif 000012
【図１２】
0004440268.tif 000013
【図１３】
0004440268.tif 000014
【図１４】
0004440268.tif 000015
【図１５】
0004440268.tif 000016
【図１６】
0004440268.tif 000017
【図１７】
0004440268.tif 000018
【図１８】
0004440268.tif 000019
【図１９】
0004440268.tif 000020
【図２０】
0004440268.tif 000021
【図２１】
0004440268.tif 000022
【図２２】
0004440268.tif 000023
【図２３】
0004440268.tif 000024
【図２４】
0004440268.tif 000025